(57)【特許請求の範囲】
【請求項１】
一方の面の全面に通知情報が記載されたカードに前記通知情報を覆うように貼着される意思表示ラベルであって、  第１の領域と第２の領域とが折り畳み可能に連接したベース基材を有し、  前記ベース基材は、  一方の面において、前記第１の領域に前記通知情報が記載され、前記第２の領域に前記カードに貼着されるための粘着剤を介して剥離紙が貼着され、  他方の面において、前記第１の領域に、透明転写層が積層されるとともに該透明転写層上に粘着剤を介して剥離紙が貼着され、前記第２の領域に意思表示記入欄が設けられた意思表示ラベル。
【発明の詳細な説明】
【技術分野】
【０００１】
本発明は、健康保険証や運転免許証等のカードに貼着可能に構成され、利用者が意思表示するための意思表示ラベルに関する。
【背景技術】
【０００２】
臓器の移植に関する法律、いわゆる臓器移植法においては、脳死あるいは心臓が停止した者が自分の臓器を提供する意思を生前に書面で表示している場合、その者の遺族が同意すれば、臓器を摘出することができる旨が規定されている。それに伴い、臓器を提供する意思、あるいは臓器を提供しない意思を表示する臓器提供意思表示カードが普及している。
【０００３】
また、臓器提供意思表示カードの携帯の煩わしさを解消するために、健康保険証や運転免許証に貼着可能に構成された臓器提供意思表示ラベルも利用されている。この臓器提供意思表示ラベルを用いれば、臓器提供意思表示ラベルを健康保険証や運転免許証の裏面に貼着することにより、臓器提供意思表示カードを新たに携帯する必要がなくなり、携帯の煩わしさを解消することができる。
【０００４】
ところが、このような臓器提供意思表示ラベルが貼着される健康保険証や運転免許証等のカードの裏面には、カードを利用する際の注意事項等の通知情報が記載されているため、臓器提供意思表示ラベルを貼着してしまうと、この通知情報を認識できなくなってしまう。
【０００５】
ここで、情報が記入された情報記入領域上に剥離可能に貼着されるラベルが考えられている（例えば、特許文献１参照。）。そこで、このようなラベルの表面にこのラベルが貼着されるカードに記載された通知情報を記載しておき、臓器提供の意思表示記入欄が設けられたシート上にこのラベルを剥離可能に貼着し、さらにこのシートをカードに貼着することにより、通知情報が記載されたカードに貼着された場合においても通知情報が外部から認識可能となるとともに臓器提供の意思を確認することができるようになる。
【先行技術文献】
【特許文献】
【０００６】
【特許文献１】特開２００７−３０４３５９号公報
【発明の概要】
【発明が解決しようとする課題】
【０００７】
しかしながら、上述したように、ラベルの表面にこのラベルが貼着されるカードに記載された通知情報を記載しておき、臓器提供の意思表示記入欄が設けられたシート上にこのラベルを剥離可能に貼着し、さらにこのシートをカードに貼着する場合、カードへの貼着以外にも、臓器提供の意思表示記入欄が設けられたシート上にラベルを剥離可能に貼着する必要が生じ、そのための位置合わせが煩雑になってしまうとともに、貼着する順序を間違えてしまう虞れがある。特に、ラベルと、臓器提供の意思表示記入欄が設けられたシート、カードとが同一形状である場合、端部どうしを合わせるといった位置合わせが二度必要となり、位置合わせが著しく煩雑になってしまうとともに、貼着する順序を間違えやすくなってしまう。
【０００８】
本発明は、上述したような従来の技術が有する問題点に鑑みてなされたものであって、位置合わせを煩雑とすることなく、かつ、貼着する順序を間違えることなく、一方の面の全面に通知情報が記載されたカードに貼着された場合においても通知情報を外部から認識可能とするとともに利用者の意思を確認することができる意思表示ラベルを提供することを目的とする。
【課題を解決するための手段】
【０００９】  上記目的を達成するために本発明は、  一方の面の全面に通知情報が記載されたカードに前記通知情報を覆うように貼着される意思表示ラベルであって、  第１の領域と第２の領域とが折り畳み可能に連接したベース基材を有し、  前記ベース基材は、  一方の面において、前記第１の領域に前記通知情報が記載され、前記第２の領域に前記カードに貼着されるための粘着剤を介して剥離紙が貼着され、  他方の面において、前記第１の領域に、透明転写層が積層されるとともに該透明転写層上に粘着剤を介して剥離紙が貼着され、前記第２の領域に意思表示記入欄が設けられている。【００１０】
上記のように構成された本発明においては、ベース基材の第２の領域に設けられた意思表示記入欄に利用者の意思表示が記入された後、ベース基材の第１の領域の透明転写層が積層された面に粘着剤を介して貼着された剥離紙が剥離され、ベース基材が折り畳まれてこの粘着剤によって第１の領域と第２の領域とが貼着される。この際、ベース基材上に通知情報が記載された第１の領域と、ベース基材上に意思表示記入欄が設けられた第２の領域とは、折り畳むだけで、透明転写層上の粘着剤によって互いに貼着されるので、第１の領域と第２の領域とを貼着する際の位置合わせは不要である。そして、ベース基材の第２の領域に粘着剤を介して貼着された剥離紙が剥離され、この粘着剤によって、一方の面の全面に通知情報が記載されたカードに通知情報を覆うように貼着される。この状態においては、カードの一方の面に記載された通知情報は、この意思表示ラベルが貼着されることによって外部から認識不可能となるが、意思表示ラベルにおいては、ベース基材の第１の領域の一方の面が表出しており、この面に、カードに記載された通知情報と同一の通知情報が記載されているので、カードに意思表示ラベルが貼着された状態においても、カードに記載された通知情報が外部から認識可能となる。その後、ベース基材の第１の領域と第２の領域とを剥離しようとすると、第１の領域にてベース基材上に積層された透明転写層が第１の領域から剥離して第２の領域に貼着された状態となる。そして、ベース基材の第２の領域に設けられた意思表示記入欄に記入された利用者の意思表示が透明転写層を介して確認されることとなる。
【発明の効果】
【００１１】
以上説明したように本発明においては、通知情報が記載されたカードに貼着された場合に、表出するベース基材の第１の領域の一方の面に、カードに記載された通知情報と同一の通知情報が記載されているため、一方の面の全面に通知情報が記載されたカードに通知情報を覆うように貼着された場合においても通知情報を外部から認識可能とすることができ、また、ベース基材の第１の領域と第２の領域とを剥離しようとすると、第１の領域にてベース基材上に積層された透明転写層が第１の領域から剥離して第２の領域に貼着された状態となり、ベース基材の第２の領域に設けられた意思表示記入欄に記入された利用者の意思表示が透明転写層を介して確認することができる。そして、ベース基材上に通知情報が記載された第１の領域と、ベース基材上に意思表示記入欄が設けられた第２の領域とは、折り畳むだけで、透明転写層上の粘着剤によって互いに貼着されるため、意思表示記入欄に利用者の意思表示を記入した後に第１の領域と第２の領域とを貼着する際の位置合わせが不要となり、位置合わせが煩雑になることを回避できるとともに、貼着する順序を間違えてしまうことを回避できる。また、それとともに、意思表示記入欄に記入された意思表示を必要時まで隠蔽しておくことが可能となる。
【図面の簡単な説明】
【００１２】
【図１】本発明の意思表示ラベルが貼着されるカードの一例を示す図であり、（ａ）は表面図、（ｂ）は裏面図である。
【図２】本発明の意思表示ラベルの第１の実施の形態を示す図であり、（ａ）は積層状態を示す側面図、（ｂ）は（ａ）に示した矢印Ａ方向から見た図、（ｃ）は（ａ）に示した矢印Ｂ方向から見た図である。
【図３】図２に示した臓器提供意思表示ラベルを図１に示した健康保険証に貼着する際の使用方法を説明するための図である。
【図４】図１に示した健康保険証に貼着された臓器提供意思表示ラベルの使用方法を説明するための図である。
【図５】本発明の意思表示ラベルの第２の実施の形態を示す図であり、（ａ）は積層状態を示す側面図、（ｂ）は（ａ）に示した矢印Ａ方向から見た図、（ｃ）は（ａ）に示した矢印Ｂ方向から見た図である。
【図６】図１に示した健康保険証に貼着された臓器提供意思表示ラベルの使用方法を説明するための図である。
【発明を実施するための形態】
【００１３】
以下に、本発明の実施の形態について図面を参照して説明する。
【００１４】
まず、本発明の意思表示ラベルが貼着されるカードについて説明する。
【００１５】
図１は、本発明の意思表示ラベルが貼着されるカードの一例を示す図であり、（ａ）は表面図、（ｂ）は裏面図である。
【００１６】
本発明の意思表示ラベルが貼着されるカードとしては、例えば、図１に示すような健康保険証１が挙げられる。この健康保険証１は図１に示すように、その表面に、保険証番号や被保険者の氏名、生年月日、また保険者番号や保険者名等の保険証情報１ａが記載され、その裏面には、この健康保険証１を利用する際の通知情報となる注意事項１ｂが全面に記載されている。
【００１７】
（第１の実施の形態）
図２は、本発明の意思表示ラベルの第１の実施の形態を示す図であり、（ａ）は積層状態を示す側面図、（ｂ）は（ａ）に示した矢印Ａ方向から見た図、（ｃ）は（ａ）に示した矢印Ｂ方向から見た図である。なお、本形態の意思表示ラベルは、図１に示した健康保険証１に貼着されて使用されるものである。
【００１８】
本形態は図２に示すように、第１の領域１０ａと第２の領域１０ｂとが折り線１３にて折り畳み可能に連接したベース基材となるコート紙１０を有する臓器提供意思表示ラベル２である。そして、この第１の領域１０ａ及び第２の領域１０ｂは、それぞれ、図１に示した健康保険証１と同一の形状となっており、第１の領域１０ａの角部にスリット１２が形成されている。なお、第１の領域１０ａと第２の領域１０ｂとを折り畳み可能とする構成においては、折り線１３に限らず、ミシン目等であってもよい。
【００１９】
コート紙１０の一方の面においては、第１の領域１０ａに、この臓器提供意思表示ラベル２が貼着される健康保険証１に記載された注意事項１ｂと同一の注意事項１１ａが記載されてなる注意事項記載欄１１が設けられているとともに、第２の領域１０ｂには、この臓器提供意思表示ラベル２を健康保険証１に貼着するための粘着剤５３を介して剥離紙３２が貼着されている。
【００２０】
また、コート紙１０の他方の面においては、第１の領域１０ａに、層間剥離可能な２層の透明フィルム４０ａ，４０ｂが積層されて粘着剤５１によって貼着され、そのフィルム４０ａ，４０ｂ上には粘着剤５２を介して剥離紙３１が貼着されている。そして、このフィルム４０ａ，４０ｂのうち、粘着剤５２側のフィルム４０ａが透明転写層となっている。また、第２の領域１０ｂには、臓器提供の意思表示を記入するための意思表示記入欄２１が設けられている。
【００２１】
以下に、上記のように構成された臓器提供意思表示ラベル２の使用方法について説明する。
【００２２】
まず、上記のように構成された臓器提供意思表示ラベル２の図１に示した健康保険証１への貼着方法について説明する。
【００２３】
図３は、図２に示した臓器提供意思表示ラベル２を図１に示した健康保険証１に貼着する際の使用方法を説明するための図である。
【００２４】
図２に示した臓器提供意思表示ラベル２を図１に示した健康保険証１に貼着して使用する場合は、まず、図３（ａ）に示すように、コート紙１０を折り線１３にて折り畳まずに見開いた状態において、コート紙１０の第２の領域１０ｂに設けられた意思表示記入欄２１に臓器提供の意思表示２１ａを記入する。
【００２５】
次に、図３（ｂ）に示すように、コート紙１０の第１の領域の２層のフィルム４０ａ，４０ｂが積層された面から剥離紙３１のみを剥離し、粘着剤５２を表出させる。
【００２６】  そして、図３（ｃ）に示すように、コート紙１０の第１の領域１０ａと第２の領域１０ｂとを、第１の領域１０ａの粘着剤５２が表出した面と第２の領域１０ｂの意思表示記入欄２１が設けられた面が内側となるように折り線１３にて折り畳み、図３（ｄ）に示すように、コート紙１０の第１の領域１０ａにて表出した粘着剤５２によって、第１の領域１０ａの粘着剤５２が表出した面と第２の領域１０ｂの意思表示記入欄２１が設けられた面とを貼着する。この際、意思表示記入欄２１が設けられた第２の領域１０ｂと、この第２の領域１０ｂに貼着される第１の領域１０ａとは、折り線１３にて折り畳むだけで粘着剤５２によって互いに貼着されるので、第１の領域１０ａと第２の領域１０ｂとを貼着する際の位置合わせが不要である。
【００２７】
次に、図３（ｅ）に示すように、第２の領域１０ｂの意思表示記入欄２１が設けられた面とは反対側の面に貼着された剥離紙３２を剥離し、第２の領域１０ｂの意思表示記入欄２１が設けられた面とは反対側の面に塗布された粘着剤５３を表出させる。
【００２８】
そして、図３（ｆ）に示すように、図１に示した健康保険証１の裏面上に、臓器提供意思表示ラベル２を重ね合わせ、第２の領域１０ｂの意思表示記入欄２１が設けられた面とは反対側の面に塗布された粘着剤５３によって、臓器提供意思表示ラベル２を健康保険証１の裏面に貼着する。この際、コート紙１０の第１の領域１０ａ及び第２の領域１０ｂが健康保険証１と同一形状を有するものであるため、臓器提供意思表示ラベル２は、健康保険証１の裏面に記載された注意事項１ｂを覆うように貼着されることになる。
【００２９】
健康保険証１の裏面に臓器提供意思表示ラベル２が貼着されると、図３（ｇ）に示すように、健康保険証１の裏面に記載された注意事項１ｂが外部から視認不可能となるが、臓器提供意思表示ラベル２においては、コート紙１０の第１の領域１０ａに設けられた注意事項記載欄１１が表出しているため、注意事項記載欄１１に記載された注意事項１１ａが外部から視認可能な状態となっている。そして、この注意事項記載欄１１に記載された注意事項１１ａが、健康保険証１の裏面に記載された注意事項１ｂと同一のものであるため、健康保険証１の裏面に臓器提供意思表示ラベル２が貼着された状態においても、健康保険証１の裏面に記載された注意事項１ｂが外部から認識可能となる。
【００３０】
上述したように、コート紙１０が折り線１３にて折り畳まれて第１の領域１０ａと第２の領域１０ｂとが貼着された後、第２の領域１０ｂに塗布された粘着剤５３によって健康保険証１に貼着される構成であるため、健康保険証１への貼着順序を間違えることがない。
【００３１】
このようにして、図２に示した臓器提供意思表示ラベル２は健康保険証１に貼着されて利用されるが、臓器提供意思表示ラベル２が健康保険証１に貼着されている状態においては、臓器提供意思表示ラベル２の意思表示記入欄２１が設けられた面が表出していないため、意思表示記入欄２１に記入された意思表示２１ａが第三者に見られてしまうことがない。
【００３２】
次に、上記のようにして健康保険証１に貼着された臓器提供意思表示ラベル２の使用方法について説明する。
【００３３】
図４は、図１に示した健康保険証１に貼着された臓器提供意思表示ラベル２の使用方法を説明するための図である。
【００３４】
上記のようにして健康保険証１に貼着された臓器提供意思表示ラベル２を使用する場合は、コート紙１０の第１の領域１０ａに形成されたスリット１２をきっかけとして第１の領域１０ａと第２の領域１０ｂとを剥離してコート紙１０を見開こうとすると、図４（ａ）に示すように、コート紙１０の第１の領域に貼着された２層のフィルム４０ａ，４０ｂが層間剥離し、フィルム４０ｂが第１の領域１０ａに貼着されたままの状態となり、フィルム４０ａが第２の領域１０ｂに貼着された状態となる。
【００３５】
コート紙１０を見開き、コート紙１０の第１の領域１０ａに貼着された２層のフィルム４０ａ，４０ｂが層間剥離すると、フィルム４０ａが透明なものであることから、図４（ｂ）に示すように、第２の領域１０ｂに設けられた意思表示記入欄２１がフィルム４０ａを介して視認可能な状態となり、それにより、意思表示記入欄２１に記入された臓器提供の意思表示２１ａがフィルム４０ａを介して確認されることとなる。
【００３６】
このように、本形態においては、注意事項１ｂが記載された健康保険証１に貼着された場合に、表出するコート紙１０の第１の領域１０ａに注意情報１ｂと同一の注意事項１１ａが記載されているため、注意事項１ｂを覆うように健康保険証１に貼着した場合においても、健康保険証１に記載された注意情報１ｂを外部から認識可能とすることができ、また、第１の領域１０ａと第２の領域１０ｂとを剥離してコート紙１０を見開こうとすると、コート紙１０の第１の領域１０ａに貼着された２層のフィルム４０ａ，４０ｂが層間剥離し、フィルム４０ａが第２の領域１０ｂに貼着された状態となり、第２の領域１０ｂに設けられた意思表示記入欄２１に記入された臓器提供の意思表示２１ａをフィルム４０ａを介して確認することができる。そして、注意事項１１ａが記載された第１の領域１０ａと、意思表示記入欄２１が設けられた第２の領域１０ｂとが、コート紙１０を折り線１３にて折り畳むだけで貼着されるため、意思表示記入欄２１に臓器提供の意思表示２１ａを記入した後に第１の領域１０ａと第２の領域１０ｂとを貼着する際の位置合わせが不要となり、位置合わせが煩雑になることを回避できるとともに、貼着する順序を間違えてしまうことを回避できる。
【００３７】
（第２の実施の形態）
図５は、本発明の意思表示ラベルの第２の実施の形態を示す図であり、（ａ）は積層状態を示す側面図、（ｂ）は（ａ）に示した矢印Ａ方向から見た図、（ｃ）は（ａ）に示した矢印Ｂ方向から見た図である。なお、本形態の意思表示ラベルは、図１に示した健康保険証１に貼着されて使用されるものである。
【００３８】
本形態は図５に示すように、第１の実施の形態にて示したものに対して、第１の領域１０ａにおいて、コート紙１０の注意事項記載欄１１が設けられた面とは反対側の面に、ニス剤４１が塗布されているとともに、このニス剤４１を介して透明転写層となる透明なフィルム４０が積層されている点のみが異なる臓器提供意思表示ラベル１０２である。
【００３９】
以下に、上記のように構成された臓器提供意思表示ラベル１０２の使用方法について説明する。
【００４０】
上記のように構成された臓器提供意思表示ラベル１０２は、第１の実施の形態に示したものと同様にして、図１に示した健康保険証１の裏面に注意事項１ｂを覆うように貼着される。そのため、本形態においても、臓器提供意思表示ラベル１０２が健康保険証１に貼着されている状態においては、臓器提供意思表示ラベル１０２の意思表示記入欄２１が設けられた面が表出していないため、意思表示記入欄２１に記入された意思表示２１ａが第三者に見られてしまうことがない。
【００４１】
次に、上記のようにして健康保険証１に貼着された臓器提供意思表示ラベル１０２の使用方法について説明する。
【００４２】
図６は、図１に示した健康保険証１に貼着された臓器提供意思表示ラベル１０２の使用方法を説明するための図である。
【００４３】
上記のようにして健康保険証１に貼着された臓器提供意思表示ラベル１０２を使用する場合は、コート紙１０の第１の領域１０ａに形成されたスリット１２をきっかけとして第１の領域１０ａと第２の領域１０ｂとを剥離してコート紙１０を見開こうとすると、図６（ａ）に示すように、コート紙１０の第１の領域に貼着されたフィルム４０がコート紙１０から剥離して第２の領域１０ｂに貼着されたままの状態となる。
【００４４】
コート紙１０を見開き、コート紙１０の第１の領域１０ａに貼着されたフィルム４０が第２の領域１０ｂに貼着された状態においては、フィルム４０が透明なものであることから、図６（ｂ）に示すように、第２の領域１０ｂに設けられた意思表示記入欄２１がフィルム４０を介して視認可能な状態となり、それにより、意思表示記入欄２１に記入された臓器提供の意思表示２１ａがフィルム４０を介して確認されることとなる。
【００４５】
このように、本形態においては、注意事項１ｂが記載された健康保険証１に貼着された場合に、表出するコート紙１０の第１の領域１０ａに注意情報１ｂと同一の注意事項１１ａが記載されているため、注意事項１ｂを覆うように健康保険証１に貼着した場合においても、健康保険証１に記載された注意情報１ｂを外部から認識可能とすることができ、また、第１の領域１０ａと第２の領域１０ｂとを剥離してコート紙１０を見開こうとすると、コート紙１０の第１の領域１０ａに貼着されたフィルム４０が第１の領域１０ａから剥離して第２の領域１０ｂに貼着された状態となり、第２の領域１０ｂに設けられた意思表示記入欄２１に記入された臓器提供の意思表示２１ａをフィルム４０を介して確認することができる。そして、注意事項１１ａが記載された第１の領域１０ａと、意思表示記入欄２１が設けられた第２の領域１０ｂとが、コート紙１０を折り線１３にて折り畳むだけで貼着されるため、意思表示記入欄２１に臓器提供の意思表示２１ａを記入した後に第１の領域１０ａと第２の領域１０ｂとを貼着する際の位置合わせが不要となり、位置合わせが煩雑になることを回避できるとともに、貼着する順序を間違えてしまうことを回避できる。
【００４６】
なお、上述した２つの実施の形態においては、コート紙１０の第１の領域１０ａ及び第２の領域１０ｂのそれぞれが、貼着される健康保険証１と同一形状を有するものを例に挙げて説明したが、本発明はこれに限らず、健康保険証１に貼着された場合に、健康保険証１に記載された注意事項１ｂが覆われる形状であればよい。また、臓器提供意思表示ラベル２，１０２が貼着されるカードとしては、健康保険証１に限らず、運転免許証やその他、いかなるものであってもよく、そのカードに記載された通知事項がコート紙１０の第１の領域１０ａに記載されることとなる。
【００４７】
また、上述した２つの実施の形態においては、透明転写層として、層間剥離する２層のフィルム４０ａ，４０ｂ、またはコート紙１０との間にて層間剥離するフィルム４０を例に挙げて説明したが、第１の領域１０ａにおいてコート紙１０の注意事項記載欄１１が設けられた面とは反対側の面に設けられ、コート紙１０が折り部１３にて折り畳まれて第１の領域１０ａと第２の領域１０ｂとが貼着された後にこれら第１の領域１０ａと第２の領域１０ｂとを剥離した場合に、第２の領域１０ｂ側に転写される透明な材料からなるものであればよい。ただし、粘着力が弱い粘着剤においては、上述したような構成と比べて、第１の領域１０ａと第２の領域１０ｂとを貼着した後、剥離しやすく、また、第１の領域１０ａと第２の領域１０ｂとを貼着した後、長時間が経過すると剥離できなくなってしまうため、好ましくない。
【００４８】
また、上述した２つの実施の形態においては、臓器提供の意思表示を記入する臓器提供意思表示ラベル２，１０２を例に挙げて説明したが、本発明はこれに限らず、利用者がその他いかなる意思表示を記入するものであってもよい。
【符号の説明】
【００４９】
１    健康保険証
１ａ    保険証情報
１ｂ，１１ａ    注意事項
２，１０２    臓器提供意思表示ラベル
１０    コート紙
１０ａ    第１の領域
１０ｂ    第２の領域
１１    注意事項記載欄
１２    スリット
１３    折り線
２１    意思表示記入欄
２１ａ    意思表示
３１，３２    剥離紙
４０，４０ａ，４０ｂ    フィルム
４１    ニス剤
５１〜５３    粘着剤
【図１】
0005469024.tif 000002
【図２】
0005469024.tif 000003
【図３】
0005469024.tif 000004
【図４】
0005469024.tif 000005
【図５】
0005469024.tif 000006
【図６】
0005469024.tif 000007